(57)【要約】【課題】ユーザへの通信状況変化通知を迅速に行うことが可能なデジタルカメラを提供する。【解決手段】デジタルカメラは、画像データが格納される無線機能付き記録媒体３２を有する。通信制御装置４５は、無線機能付き記録媒体３２を用いて、格納された画像データを外部に転送する。通信状態取得装置は、無線機能付き記録媒体３２から通信状態を所定時間毎に取得する。通信期間予測装置は、通信制御手段が画像データを外部に転送する期間である、通信期間を予測する。通信状態取得制御手段は、通信期間の終了直前または終了直後から、画像データの転送完了状態を取得するまでの間、通信状態取得手段による通信状態取得頻度を相対的に高める。【選択図】図３
2014127988.tif 000002
【特許請求の範囲】
【請求項１】
画像データが格納される無線機能付き記録媒体と、
前記無線機能付き記録媒体を用いて、格納された前記画像データを外部に転送する通信制御手段と、
前記無線機能付き記録媒体から通信状態を所定時間毎に取得する通信状態取得手段と、
前記通信制御手段が前記画像データを外部に転送する期間である、通信期間を予測する通信期間予測手段と、
前記通信期間の終了直前および／または終了直後から、前記画像データの転送完了状態を取得するまでの間、前記通信状態取得手段による通信状態取得頻度を相対的に高める通信状態取得制御手段とからなることを特徴とするデジタルカメラ。
【請求項２】
転送済み画像データのサイズと転送時間とを記憶する転送時間記憶手段をさらに備え、
前記通信期間予測手段が、前記転送時間記憶手段で記憶した、転送済み画像データの転送時間と前記記録媒体に格納された未転送画像データのサイズから、転送完了時間を予測することを特徴とする請求項１に記載のデジタルカメラ。
【請求項３】
前記通信期間予測手段が、動画像撮影期間を非通信期間とみなし、
前記通信制御手段が、前記非通信期間に前記画像データの転送を行わないよう制御することを特徴とする請求項１に記載のデジタルカメラ。
【請求項４】
前記通信状態取得制御手段は、予測された前記通信期間の終了直前または終了直後から前記データ転送の完了状態を取得するまでの間、通信状態の取得間隔を前記通信期間のうち他の期間よりも相対的に短くすることによって、前記通信状態取得頻度を相対的に高めることを特徴とする請求項１に記載のデジタルカメラ。
【請求項５】
前記通信状態取得手段で取得した通信状態を表示する情報表示手段をさらに備えることを特徴とする請求項１に記載のデジタルカメラ。
【請求項６】
データが格納される記録手段と、
外部と通信可能な通信手段と、
前記通信手段を用いて、格納された前記データを外部に転送する通信制御手段と、
前記記録手段から通信状態を所定時間毎に取得する通信状態取得手段と、
前記通信制御手段が前記データを外部に転送する期間である、通信期間を予測する通信期間予測手段と、
前記通信期間の終了直前および／または終了直後から前記ファイル転送の完了状態を取得するまでの間、前記通信状態取得手段による通信状態取得頻度を相対的に高める通信状態取得制御手段とを備えることを特徴とする携帯機器の通信システム。
【発明の詳細な説明】
【技術分野】
【０００１】
本発明は、デジタルカメラに関し、より詳しくはデジタルカメラにおける情報転送処理状況の確認システムに関する。
【背景技術】
【０００２】
デジタルカメラにおいて、無線通信機能を備えた記録媒体を用いて撮影画像を外部機器に送信する場合に、画像データの転送処理をより短時間で完了可能にする構成が知られている。例えば、ＤＣＦに準拠した画像データを格納する通信機能付きメモリカードによって、画像データの転送処理をより短時間で完了可能にする手法が開示されている（特許文献１）。
【先行技術文献】
【特許文献】
【０００３】
【特許文献１】特開２０１０−２５２０５４号公報
【発明の概要】
【発明が解決しようとする課題】
【０００４】
デジタルカメラが、通信機能を備えた記録媒体から画像転送を完了したかどうかなどの通信状態を取得するには、記録媒体の特殊ファイルに対してデータを読み書きする必要がある。記録媒体は、このデータの読み書き制御を、通信処理を一時停止して行う。そのため一般にデジタルカメラは、可能な限り通信処理を阻害しないために、３０秒などの一定周期で通信状態取得を行う。従って、この場合、実際の転送完了からユーザに転送完了を伝えることができるまで、最大３０秒弱の遅れが発生していた。このように、特許文献１に記載のデジタルカメラでは、転送完了などの通信状態変化をユーザに迅速に伝えることができないという問題があった。
【０００５】
そこで本発明は、ユーザへの通信状況変化通知を迅速に行うことが可能なデジタルカメラを提供することを目的とする。
【課題を解決するための手段】
【０００６】
本発明に係るデジタルカメラは、画像データが格納される無線機能付き記録媒体と、無線機能付き記録媒体を用いて、格納された画像データを外部に転送する通信制御手段と、無線機能付き記録媒体から通信状態を所定時間毎に取得する通信状態取得手段と、通信制御手段が画像データを外部に転送する期間である、通信期間を予測する通信期間予測手段と、通信期間の終了直前および／または終了直後から、画像データの転送完了状態を取得するまでの間、通信状態取得手段による通信状態取得頻度を相対的に高める通信状態取得制御手段とからなることを特徴とする。
【０００７】
また、転送済み画像データのサイズと転送時間とを記憶する転送時間記憶手段をさらに備え、通信期間予測手段が、転送時間記憶手段で記憶した、転送済み画像データの転送時間と記録媒体に格納された未転送画像データのサイズから、転送完了時間を予測することが好ましい。
【０００８】
また、通信期間予測手段が、動画像撮影期間を非通信期間とみなし、通信制御手段が、非通信期間に画像データの転送を行わないよう制御しても良い。
【０００９】
また、通信状態取得制御手段は、予測された通信期間の終了直前または終了直後からデータ転送の完了状態を取得するまでの間、通信状態の取得間隔を通信期間のうち他の期間よりも相対的に短くすることによって、通信状態取得頻度を相対的に高めることが好ましい。
【００１０】
また、通信状態取得手段で取得した通信状態を表示する情報表示手段をさらに備えることが好ましい。利用者の利便性の向上を図ることが可能となる。
【００１１】
本発明に係る携帯機器の通信システムは、データが格納される記録手段と、外部と通信可能な通信手段と、通信手段を用いて、格納されたデータを外部に転送する通信制御手段と、記録手段から通信状態を所定時間毎に取得する通信状態取得手段と通信制御手段がデータを外部に転送する期間である、通信期間を予測する通信期間予測手段と、通信期間の終了直前および／または終了直後からファイル転送の完了状態を取得するまでの間、通信状態取得手段による通信状態取得頻度を相対的に高める通信状態取得制御手段とを備えることを特徴とする。
【発明の効果】
【００１２】
本発明によれば、ユーザへの通信状況変化通知を迅速に行うことが可能なデジタルカメラを提供することができる。
【図面の簡単な説明】
【００１３】
【図１】本発明の第１の実施形態に係るデジタルカメラの全体を表す図である。
【図２】図１の電気的構成を表すブロック図である。
【図３】本発明の第１の実施形態に係る通信状態を表すタイムチャートである。
【図４】本発明の第１の実施形態に係る通信における情報の取得およびその表示のフローチャートである。
【図５】本発明の第１の実施形態に係る通信における転送時間とファイルサイズとの関係を表す図である。
【図６】本発明の第２の実施形態に係る通信における情報の取得および表示のフローチャートである。
【発明を実施するための形態】
【００１４】
以下、図面を参照して、本発明の第１の実施形態を説明する。図１は、デジタルカメラの構成図について説明する図である。図１（ａ）は、本発明の実施形態１に係る撮像装置の一例としてのデジタルスチルカメラ（以下、「デジタルカメラ」）を示す正面図、図１（ｂ）は、その上面図、図１（ｃ）は、その背面図である。
【００１５】
図１（ａ）、（ｂ）、（ｃ）に示すように、本実施形態に係るデジタルカメラ１の上面側には、レリーズボタン（シャッタボタン）２、電源ボタン３、撮影・再生切替ダイアル４が設けられており、デジタルカメラ１の正面（前面）側には、撮影レンズ系５を有する鏡胴ユニット６（主要撮像光学系）、ストロボ発光部（フラッシュ）７、光学ファインダ８、補助撮像光学系１６が設けられている。
【００１６】
デジタルカメラ１の背面側には、ＬＣＤである液晶モニタ（情報表示手段）９、光学ファインダ８の接眼レンズ部８ａ、広角側ズーム（Ｗ）スイッチ１０、望遠側ズーム（Ｔ）スイッチ１１、メニュー（ＭＥＮＵ）ボタン１２、確定ボタン（ＯＫボタン）１３等が設けられている。また、デジタルカメラ１の側面内部には、撮影した画像データを保存するための無線機能付き記録媒体（記録手段、通信手段）３２を収納する記録媒体収納部１５が設けられている。
【００１７】
図２は、図１のデジタルカメラの電気的構成について説明する図である。デジタルカメラ１は、情報を記録する無線機能付き記録媒体３２と、ＣＣＤ、ＡＤ変換器など画像情報の入力部である撮像装置４２と、各種情報の表示装置４３と、外部からの入力を行う操作卓４４と、記録媒体との通信を制御する、例えばＳＤＩＯインターフェイスである通信制御装置（通信制御手段、通信期間予測手段、通信状態取得制御手段、通信状態取得手段）４５と、取り外しのできない不揮発性メモリを使用した内部記憶装置４６（転送時間記憶手段）、デジタルカメラ全体を制御する全体制御装置５０を有する。
【００１８】
全体制御装置５０は、ＣＰＵ／ＲＯＭ／ＲＡＭ／入出力ポート（Ｉ／Ｏポート）及びこれらを結ぶバスラインなどからなる周知のマイクロコンピュータにより構成されている。なお、後述の図６において示すように、全体制御装置５０は、動画撮影中の通信管理処理を行うため、全体制御装置５０は、並列して複数の制御を行うことになる。
【００１９】
また、デジタルカメラ１は無線機能付き記録媒体３２を用いてネットワーク３３への接続機能を持つ。ここでは、外付けのメモリカードに代わる画像の内部記録用のメモリを想定しているが、メモリは情報を保持した状態を維持できるものであれば、いかなるメモリであっても良い。
【００２０】
図３は、通信状態取得頻度を変更する具体的なタイムチャートについて表す図である。通信制御装置４５は、転送開始前において３０秒おきに無線機能付き記録媒体から通信状態の取得を行なっている。
【００２１】
取得可能な状態は、「無線接続確立中」、「無線接続されていない」、「未転送ファイルあり」、または、「未転送ファイルなし」等である。通信制御装置４５は、必要に応じて、表示装置４３へ取得した状態を表示指示する。本タイムチャートでは、３０秒経過後に転送を開始した例が示されている。
【００２２】
転送開始後、通信制御装置４５は表示装置４３に転送開始表示指示を行い、転送完了時刻を予測する。ここでは、転送完了まで５５秒と予測されたとすると、通信制御装置４５は転送完了まで３０秒おきに通信状態取得を継続するが、転送完了予測時刻の直前には、通信状態取得間隔が３０秒から５秒に変更されている。
【００２３】
その際に「未転送ファイルなし」情報が取得できなかった場合は、無線機能付き記録媒体３２は転送中であるので、通信状態取得間隔を相対的に短い時間（ここでは１秒）として状態取得を繰り返す。この例では、実転送時間（通信期間）が５６．５秒であるので、転送開始から５７秒の時点で「未転送ファイルなし」情報が取得でき、通信制御手段は表示装置に通信完了を表示指示することができる。このように、転送完了予測時刻経過後は設定当初の３０秒を待たずに状態取得を行う。
【００２４】
このように、転送完了予測時間の経過直前および経過直後から、通信状態取得間隔は相対的に短い時間に設定される。相対的に短い時間とは、本実施形態では、転送時間全体に対する略２％から略１０％の時間をいう。また、直前とは、例えば転送完了予測時間から転送時間全体に対する略１０％の時間遡る時刻をいう。直後とは、例えば転送完了予測時間から転送時間全体に対する略２％の時間経過した時刻をいう。
【００２５】
図４は、図３の通信状態取得頻度におけるフローチャートである。通信制御装置４５は、転送開始前の状態取得間隔を、例えば３０秒に設定する(ステップＳ４０１)。
【００２６】
通信制御装置４５は記録媒体３２にファイルが生成され、転送開始状態になった場合は、表示装置４３に転送中表示の指示を行う(ステップＳ４０２、Ｓ４０３)。すると、通信制御装置４５は、転送完了予測時間を算出する（ステップＳ４０４）。以下の図５において詳述するように、通信制御装置４５は、記録媒体３２の通信性能と未転送ファイルのサイズから転送完了予測時間を算出する。通信制御装置４５は、転送完了予測時間を超過している場合、情報取得間隔を相対的に短い間隔、例えば１秒にする（ステップＳ４０５、Ｓ４０６）。
【００２７】
通信制御装置４５は、記録媒体３２から状態を取得する（ステップＳ４０７）。通信制御装置４５は、記録媒体３２から取得した状態が転送完了状態ではない場合、ステップＳ４０２に戻る（ステップＳ４０８）。通信制御装置４５が記録手段から取得した状態が転送完了状態であれば、表示装置４３に転送完了の表示指示を行い、状態取得間隔を初期状態に戻す（ステップＳ４０９、Ｓ４１０）。ステップＳ４１１では、転送したファイルサイズ及び転送時間が内部記憶装置２１等に保持され、ステップＳ４０２に戻る。
【００２８】
転送済み結果が記憶される内部記憶装置４６等は、電源の入切によらず情報を保持するメモリである。このように、記憶対象は、直前の結果が想定されているが、記録媒体３２毎、メモリカード毎に対応する過去平均、転送場所または転送先が分けて記憶されても良い。例えば、直近の転送結果を用いた予測の他、カード内の転送済み画像の平均結果、転送したときの使用場所、転送先などの場合分けのデータが記憶され、予測時間算出に使用されても良い。
【００２９】
一方、ステップＳ４０２において、転送開始ではなかった場合、ステップＳ４１２に進み、状態取得間隔が経過したか否かが判断される。または、ステップＳ４０５で転送完了予測時刻を超過していない場合、ステップＳ４１２に進み、状態取得間隔が経過したか否かが判断される。ステップＳ４１２において、状態取得間隔が経過していないと判断されると、ステップＳ４０２に戻る。ステップＳ４１２において、状態取得間隔が経過している場合、ステップＳ４０７に進み、状態取得間隔ごとに状態取得を行う。
【００３０】
図５は、具体的なファイルサイズと時間から転送完了時刻を予測する方法を示す図である。図５では、過去に送信したファイルサイズとその転送時間から、未転送ファイルの送信時間が予測される。図中に示されるように、過去に転送したファイルサイズと未転送ファイルサイズとの比率を算出し、過去の転送時間にその比率を乗算することで、未転送ファイルの転送時間が予測される。
【００３１】
このように、画像データを外部に転送する期間である通信期間を予測し、その通信期間の終了直前および終了直後から、通信状態の取得頻度をそれ以前の取得頻度と比較して高めることによって、ユーザへの通信状況変化通知を迅速に行うことが可能となる。具体的には、画像データの転送が完了したことを即座にユーザへ通知することができるという効果がある。
【００３２】
図６は、第２の実施形態を示す図である。第１の実施形態との違いは、動画撮影中（非通信期間）は記録媒体３２の更新が行われないことである。すなわち、ステップＳ５０２以外は、第１の実施形態と同様である。
【００３３】
第２の実施形態では、動画撮影中に記録媒体３２の更新を行わないことにより、第１の実施形態の効果に加えて、処理負荷の高い動画処理を停止させることによるフレーム落ちを防止することが出来るという効果が得られる。
【符号の説明】
【００３４】
１  デジタルカメラ
９  モニタ（情報表示手段）
３２  無線機能付き記録媒体（通信手段、記録手段）
３３  ネットワーク
４５  通信制御装置（通信制御手段、通信期間予測手段、通信状態取得制御手段、通信状態取得手段）
４６  内部記憶装置（転送時間記憶手段）
【図１】
2014127988.tif 000003
【図２】
2014127988.tif 000004
【図３】
2014127988.tif 000005
【図４】
2014127988.tif 000006
【図５】
2014127988.tif 000007
【図６】
2014127988.tif 000008